(57)【要約】【課題】超高速光通信や光計測に用いる低パワーかつ高繰り返し周波数の超短パルス列を発生できる、小型でかつ機能性の高い光パルス圧縮器、および、簡単な構成で任意の時間波形を実現する光関数発生器を提供する。【解決手段】光パルス圧縮器は、入力光パルス列の繰り返し周波数で駆動される光位相変調器９と、分散性媒質８とを有し、入力された光パルスの周波数スペクトルの形状をその時間波形に変換する光フーリエ変換装置Ｆと、光フーリエ変換装置Ｆの前に挿入され、入力光パルスのスペクトル幅を狭くする光フィルタ３とを備え、光フーリエ変換装置Ｆにより、光フィルタ３から出力された狭いスペクトル幅の光パルスを狭い時間幅の光パルスに変換する。光関数発生器は、光フーリエ変換装置Ｆにより、光フィルタで任意に波形整形されたスペクトルをそのまま時間軸上で再生することにより、任意の時間波形を有する光パルスを発生する。【選択図】    図１
2004317684.tif 000002
【特許請求の範囲】
【請求項１】
入力光パルス列の繰り返し周波数で駆動される光位相変調器と、分散性媒質とを有し、入力された光パルスの周波数スペクトルの形状をその時間波形に変換する光フーリエ変換装置と、
前記光フーリエ変換装置の前に挿入され、入力光パルスのスペクトル幅を狭くする狭帯域光フィルタと
を備え、
前記光フーリエ変換装置により、前記狭帯域光フィルタから出力された狭いスペクトル幅の光パルスを狭い時間幅の光パルスに変換する光パルス圧縮器。
【請求項２】
請求項１に記載の光パルス圧縮器において、
入力光パルスとしてフーリエ変換限界のパルスを用いることを特徴とする光パルス圧縮器。
【請求項３】
請求項１に記載の光パルス圧縮器において、
前記狭帯域光フィルタは、スペクトルの帯域が可変であり、
前記光フーリエ変換装置は、圧縮率が可変なパルス圧縮を実現することを特徴とする光パルス圧縮器。
【請求項４】
請求項１に記載の光パルス圧縮器において、
前記光位相変調器は、駆動周波数が入力光パルス列から再生されたクロック周波数で駆動され、入力光パルスに線形チャープを与え、
前記分散性媒質は、群速度分散を与える光パルス圧縮器。
【請求項５】
請求項１に記載の光パルス圧縮器において、
前記光フーリエ変換装置は、
前記分散性媒質が、前記狭帯域光フィルタから出力された光パルスに群速度分散を与え、
前記光位相変調器が、入力光パルス列から再生されたクロック周波数で駆動され、前記分散性媒質から出力された光パルスに線形チャープを与え、
前記分散性媒質が、前記光位相変調器から出力された光パルスを入力して再度群速度分散を与え、残留チャープを補償することを特徴とする光パルス圧縮器。
【請求項６】
請求項１に記載の光パルス圧縮器において、
前記光フーリエ変換装置は、
前記光位相変調器が、入力光パルス列から再生されたクロック周波数で駆動され、前記狭帯域光フィルタから出力された光パルスに線形チャープを与え、
前記分散性媒質が、前記光位相変調器から出力された光パルスに群速度分散を与え、
前記光位相変調器が、前記分散性媒質から出力された光パルスを入力して再度線形チャープを与え、残留チャープを補償することを特徴とする光パルス圧縮器。
【請求項７】
請求項１に記載の光パルス圧縮器において、
前記位相変調器の位相変調のチャープ率Ｋと前記分散性媒質の群速度分散Ｄとが、Ｋ＝１／Ｄの関係を満たすことを特徴とする光パルス圧縮器。
【請求項８】
光パルス列を発生する光パルス発生器と、
前記光パルス発生器からの入力光パルス列の繰り返し周波数で駆動される光位相変調器と、分散性媒質とを有し、前記光パルス発生器から入力された光パルスの周波数スペクトルの形状をその時間波形に変換する光フーリエ変換装置と、
前記光フーリエ変換装置の前に挿入され、入力光パルスのスペクトルを波形整形する光フィルタと
を備え、
前記光フーリエ変換装置において、前記光フィルタで任意に波形整形されたスペクトルをそのまま時間軸上で再生することにより、任意の時間波形を有する光パルスを発生する
光関数発生器。
【請求項９】
請求項８に記載の光関数発生器において、
入力光パルスとしてフーリエ変換限界のパルスを用いることを特徴とする光関数発生器。
【請求項１０】
請求項８に記載の光関数発生器において、
前記光位相変調器は、駆動周波数が入力光パルス列から再生されたクロック周波数で駆動され、入力光パルスに線形チャープを与え、
前記分散性媒質は、群速度分散を与える光関数発生器。
【請求項１１】
請求項８に記載の光関数発生器において、
前記光フーリエ変換装置は、
前記分散性媒質が、前記光フィルタから出力された光パルスに群速度分散を与え、
前記光位相変調器が、入力光パルス列から再生されたクロック周波数で駆動され、前記分散性媒質から出力された光パルスに線形チャープを与え、
前記分散性媒質が、前記光位相変調器から出力された光パルスを入力して再度群速度分散を与え、残留チャープを補償することを特徴とする光関数発生器。
【請求項１２】
請求項８に記載の光関数発生器において、
前記光フーリエ変換装置は、
前記光位相変調器が、入力光パルス列から再生されたクロック周波数で駆動され、前記光フィルタから出力された光パルスに線形チャープを与え、
前記分散性媒質が、前記光位相変調器から出力された光パルスに群速度分散を与え、
前記光位相変調器が、前記分散性媒質から出力された光パルスを入力して再度線形チャープを与え、残留チャープを補償することを特徴とする光関数発生器。
【請求項１３】
請求項８に記載の光関数発生器において、
前記位相変調器の位相変調のチャープ率Ｋと前記分散性媒質の群速度分散Ｄとが、Ｋ＝１／Ｄの関係を満たすことを特徴とする光関数発生器。
【請求項１４】
光位相変調器と分散性媒質とを有する光フーリエ変換装置と、狭帯域光フィルタとを備えた光パルス圧縮器を用いた光パルス圧縮方法であって、
前記光フーリエ変換装置の前に前記狭帯域光フィルタを挿入して、それにより入力光パルスのスペクトル幅を狭くし、
入力光パルス列の繰り返し周波数で前記光位相変調器を駆動し、
前記光フーリエ変換装置により、前記狭帯域光フィルタから出力された狭いスペクトル幅の光パルスを狭い時間幅の光パルスに変換する
前記光パルス圧縮方法。
【請求項１５】
光パルス発生器と、光位相変調器と分散性媒質とを有する光フーリエ変換装置と、光フィルタとを備えた光関数発生器を用いた光関数発生方法であって、
前記光フーリエ変換装置の前に前記光フィルタを挿入して、それにより前記光パルス発生器からの入力光パルスのスペクトルを波形整形し、
入力光パルス列の繰り返し周波数で前記光位相変調器を駆動し、
前記光フーリエ変換装置において、前記光フィルタで任意に波形整形されたスペクトルをそのまま時間軸上で再生することにより、任意の時間波形を有する光パルスを発生する
前記光関数発生方法。
【発明の詳細な説明】
【０００１】
【発明の属する技術分野】
本発明は、超高速光通信ならびに光計測などに用いられる超短パルス技術において、パルス光源から出力された光パルスの時間幅を任意の比率で圧縮するとともに、さらには任意のパルス波形を得ることができる光パルス圧縮および光関数発生器に関するものである。
【０００２】
【従来の技術】
一般的な光パルス圧縮技術には、大別して光ファイバと回折格子対を用いたパルス圧縮法（第１の従来技術）と、分散減少ファイバを用いたソリトン効果に基づくパルス圧縮法（第２の従来技術）がある。
【０００３】
第１の従来技術は、強力な光パルスをファイバに入射することにより、ファイバのもつ正常分散と非線形性（自己位相変調効果）によってパルスをまず線形チャープを有する広帯域矩形パルスに変換する。次に回折格子対によって人工的に作り出すことができる異常分散によって該線形チャープパルスを分散補償することで入射パルス幅を大幅に圧縮するものである（非特許文献１及び２）。特に、非特許文献２では、波長１５４８  ｎｍにおいて繰り返し周波数１０  ＧＨｚ、パルス幅７．１  ｐｓの光パルス列を７２０  ｆｓに圧縮した例が報告されている。
【０００４】
一方、第２の従来技術は、ファイバの異常分散値を伝搬方向に沿ってソリトンの状態が維持される程度に断熱的に減少させること（ゆるやかに分散を変化させること）によって、ソリトンのパルス幅を圧縮するものである。この場合、ソリトンはそのエネルギーを一定に保とうとするために、分散の変化に応じてパルス幅が自動的に変化する原理を利用している（非特許文献３及び４）。特に、非特許文献４では、分散減少ファイバを用いたパルス圧縮の例として、波長１５５０  ｎｍにおいて繰り返し周波数１０  ＧＨｚ、パルス幅３  ｐｓの光パルス列を１７０  ｆｓに圧縮した実験が報告されている。
【０００５】
また、光関数の発生および光パルス波形整形装置（第３の従来技術）としては、レンズと回折格子あるいはアレイ導波路回折格子を用いることにより、パルスの各周波数成分ごとに独自の振幅および位相変化を与える方法が提案されている（非特許文献５及び６）。これらの場合には入力の時間波形およびそのスペクトルをそれぞれｕ（ｔ）、Ｕ（ω）、出力の時間波形およびそのスペクトルをそれぞれｖ（ｔ）、Ｖ（ω）とし、パルス波形整形の伝達関数を時間軸上でｇ（ｔ）、スペクトル上でＧ（ω）とすると、周波数軸上の表現では
Ｖ（ω）＝Ｇ（ω）Ｕ（ω）、
また時間軸上では
【０００６】
【数１】
2004317684.tif 000003
【０００７】
で与えられる。
【０００８】
【非特許文献１】
Ｗ．  Ｊ．  Ｔｏｍｌｉｎｓｏｎ，  Ｒ．  Ｊ．  Ｓｔｏｌｅｎ，  ａｎｄ  Ｃ．  Ｖ．  Ｓｈａｎｋ，  “Ｃｏｍｐｒｅｓｓｉｏｎ  ｏｆ  ｏｐｔｉｃａｌ  ｐｕｌｓｅｓ  ｃｈｉｒｐｅｄ  ｂｙ  ｓｅｌｆ−ｐｈａｓｅ  ｍｏｄｕｌａｔｉｏｎ  ｉｎ  ｆｉｂｅｒｓ，”  Ｊ．  Ｏｐｔ．  Ｓｏｃ．  Ａｍ．  Ｂ，  Ｖｏｌ．  １，  ｐｐ．  １３９−１４９，  １９８４．
【非特許文献２】
Ｋ．  Ｔａｍｕｒａ，  Ｔ．  Ｋｏｍｕｋａｉ，  Ｔ．  Ｙａｍａｍｏｔｏ，  Ｔ．  Ｉｍａｉ，  Ｅ．  Ｙｏｓｈｉｄａ，  ａｎｄ  Ｍ．  Ｎａｋａｚａｗａ，  “Ｈｉｇｈ  ｅｎｅｒｇｙ，  ｓｕｂ−ｐｉｃｏｓｅｃｏｎｄ  ｐｕｌｓｅ  ｃｏｍｐｒｅｓｓｉｏｎ  ａｔ  １０  ＧＨｚ  ｕｓｉｎｇ  ａ  ｆｉｂｅｒ／ｆｉｂｅｒ−ｇｒａｔｉｎｇ  ｐｕｌｓｅ  ｃｏｍｐｒｅｓｓｏｒ，”  Ｅｌｅｃｔｒｏｎ．  Ｌｅｔｔ．  Ｖｏｌ．  ３１，  ｐｐ．  ２１９４−２１９５，  １９９５．
【非特許文献３】
Ｓ．  Ｖ．  Ｃｈｅｒｎｉｋｏｖ，  Ｄ．  Ｊ．  Ｒｉｃｈａｒｄｓｏｎ，  Ｅ．  Ｍ．  Ｄｉａｎｏｖ，  ａｎｄ  Ｄ．  Ｎ．  Ｐａｙｎｅ，  “Ｐｉｃｏｓｅｃｏｎｄ  ｓｏｌｉｔｏｎ  ｐｕｌｓｅ  ｃｏｍｐｒｅｓｓｏｒ  ｂａｓｅｄ  ｏｎ  ｄｉｓｐｅｒｓｉｏｎ  ｄｅｃｒｅａｓｉｎｇ  ｆｉｂｅｒ，”  Ｅｌｅｃｔｒｏｎ．  Ｌｅｔｔ．  Ｖｏｌ．  ２８，  ｐｐ．  １８４２−１８４４，  １９９２．
【非特許文献４】
Ｍ．  Ｎａｋａｚａｗａ，  Ｅ．  Ｙｏｓｈｉｄａ，  Ｋ．  Ｋｕｂｏｔａ，  ａｎｄ  Ｙ．  Ｋｉｍｕｒａ，  “Ｇｅｎｅｒａｔｉｏｎ  ｏｆ  １７０  ｆｓ，  １０  ＧＨｚ  ｔｒａｎｓｆｏｒｍ−ｌｉｍｉｔｅｄ  ｐｕｌｓｅ  ｔｒａｉｎ  ａｔ  １．５５  μｍ  ｕｓｉｎｇ  ａ  ｄｉｓｐｅｒｓｉｏｎ−ｄｅｃｒｅａｓｉｎｇ，  ｅｒｂｉｕｍ−ｄｏｐｅｄ  ａｃｔｉｖｅ  ｓｏｌｉｔｏｎ  ｃｏｍｐｒｅｓｓｏｒ，”  Ｅｌｅｃｔｒｏｎ．  Ｌｅｔｔ．  Ｖｏｌ．  ３０，  ｐｐ．  ２０３８−２０４０，  １９９４．
【非特許文献５】
Ａ．  Ｍ．  Ｗｅｉｎｅｒ，  Ｊ．  Ｐ．  Ｈｅｒｉｔａｇｅ，  ａｎｄ  Ｅ．  Ｍ．  Ｋｉｒｓｃｈｎｅｒ，  “Ｈｉｇｈ−ｒｅｓｏｌｕｔｉｏｎ  ｆｅｍｔｏｓｅｃｏｎｄ  ｐｕｌｓｅ  ｓｈａｐｉｎｇ，  Ｊ．  Ｏｐｔ．  Ｓｏｃ．  Ａｍ．  Ｂ，  Ｖｏｌ．  ５，  ｐｐ．  １５６３−１５７２，  １９８８．
【非特許文献６】
Ｋ．  Ｏｋａｍｏｔｏ，  Ｔ．  Ｋｏｍｉｎａｔｏ，  Ｈ．  Ｙａｍａｄａ，  ａｎｄ  Ｔ．  Ｇｏｈ，  “Ｆａｂｒｉｃａｔｉｏｎ  ｏｆ  ｆｒｅｑｕｅｎｃｙ  ｓｐｅｃｔｒｕｍ  ｓｙｎｔｈｅｓｉｚｅｒ  ｃｏｎｓｉｓｔｉｎｇ  ｏｆ  ａｒｒａｙｅｄ−ｗａｖｅｇｕｉｄｅ  ｇｒａｔｉｎｇ  ｐａｉｒ  ａｎｄ  ｔｈｅｒｍｏ−ｏｐｔｉｃ  ａｍｐｌｉｔｕｄｅ  ａｎｄ  ｐｈａｓｅ  ｃｏｎｔｒｏｌｌｅｒｓ，”  Ｅｌｅｃｔｒｏｎ．  Ｌｅｔｔ．  Ｖｏｌ．  ３５，  ｐｐ．  ７３３−７３４，  １９９９．
【０００９】
【発明が解決しようとする課題】
第１の従来技術のように、ファイバ・回折格子対を用いたパルス圧縮においては、パルスの圧縮率はパルスに誘起される位相変調の大きさで決まる。このため、ファイバ中の自己位相変調と正常分散を用いてスペクトルの広い線形チャープパルスを発生させることによって圧縮率を向上することができる。一般にこの方法は、ファイバが正常分散を呈する可視光、近赤外領域における高出力超短パルスの発生に有効な方法である。しかしながら、超高速光通信に用いられる光パルスは低パワーであるため、一般的には光パルスに大きな線形チャープを与えることができず、圧縮率が制限されてしまう。また、圧縮率を大きくとろうとするとチャープを補償するために必要な分散量も大きくなるが、このとき三次分散などの影響を無視することができず、被圧縮パルスに波形歪みが生じる。
【００１０】
第２の従来技術のように、分散減少ファイバを用いたパルス圧縮においては、ソリトン効果を用いるため、ソリトン条件を満たすようパルス幅やピークパワーを正確に調整する必要がある。また分散減少ファイバの長さは断熱的なソリトン圧縮を行なうために一般に１００ｍ〜数ｋｍを用いる必要がある。また圧縮率が向上するとスペクトルの帯域幅が増加するが、分散が広帯域にわたってフラットな特性を有する分散減少ファイバの作成は難しく、高価な圧縮法になってしまう。
【００１１】
また、第３の従来技術のように、周波数成分に分けた後に振幅・位相の処理を行なう光パルス波形整形方法は、伝達関数の周波数特性がパルスのスペクトルおよび位相を整形することから、この方法は周波数スペクトラムシンセサイザであり、単なる周波数・位相成分の異なる波形合成である。例えば矩形のパルス波形を得るためには、矩形波のフーリエ変換であるｓｉｎｃ関数の周波数特性を伝達関数に与える必要がある。このように、従来の光パルス波形整形装置ではシンプルな時間波形を実現するために周波数領域で各々のスペクトルに複雑な処理を必要とする。
【００１２】
本発明は、これらの課題を解決するために、超高速光通信や光計測に用いる低パワーかつ高繰り返し周波数の超短パルス列を発生できる、小型でかつ機能性の高い光パルス圧縮器、および、簡単な構成で任意の時間波形を実現する光関数発生器を提供することを目的とする。
【００１３】
【課題を解決するための手段】
本発明の第１の解決手段によると、
入力光パルス列の繰り返し周波数で駆動される光位相変調器と、分散性媒質とを有し、入力された光パルスの周波数スペクトルの形状をその時間波形に変換する光フーリエ変換装置と、
前記光フーリエ変換装置の前に挿入され、入力光パルスのスペクトル幅を狭くする狭帯域光フィルタと
を備え、
前記光フーリエ変換装置により、前記狭帯域光フィルタから出力された狭いスペクトル幅の光パルスを狭い時間幅の光パルスに変換する光パルス圧縮器が提供される。
【００１４】
本発明の第２の解決手段によると、
光パルス列を発生する光パルス発生器と、
前記光パルス発生器からの入力光パルス列の繰り返し周波数で駆動される光位相変調器と、分散性媒質とを有し、前記光パルス発生器から入力された光パルスの周波数スペクトルの形状をその時間波形に変換する光フーリエ変換装置と、
前記光フーリエ変換装置の前に挿入され、入力光パルスのスペクトルを波形整形する光フィルタと
を備え、
前記光フーリエ変換装置において、前記光フィルタで任意に波形整形されたスペクトルをそのまま時間軸上で再生することにより、任意の時間波形を有する光パルスを発生する
光関数発生器が提供される。
【００１５】
本発明の第３の解決手段によると、
光位相変調器と分散性媒質とを有する光フーリエ変換装置と、狭帯域光フィルタとを備えた光パルス圧縮器を用いた光パルス圧縮方法であって、
前記光フーリエ変換装置の前に前記狭帯域光フィルタを挿入して、それにより入力光パルスのスペクトル幅を狭くし、
入力光パルス列の繰り返し周波数で前記光位相変調器を駆動し、
前記光フーリエ変換装置により、前記狭帯域光フィルタから出力された狭いスペクトル幅の光パルスを狭い時間幅の光パルスに変換する
前記光パルス圧縮方法が提供される。
【００１６】
本発明の第４の解決手段によると、
光パルス発生器と、光位相変調器と分散性媒質とを有する光フーリエ変換装置と、光フィルタとを備えた光関数発生器を用いた光関数発生方法であって、
前記光フーリエ変換装置の前に前記光フィルタを挿入して、それにより前記光パルス発生器からの入力光パルスのスペクトルを波形整形し、
入力光パルス列の繰り返し周波数で前記光位相変調器を駆動し、
前記光フーリエ変換装置において、前記光フィルタで任意に波形整形されたスペクトルをそのまま時間軸上で再生することにより、任意の時間波形を有する光パルスを発生する
前記光関数発生方法が提供される。
【００１７】
【作用】
本発明を用いることにより、光通信波長帯における低パワーかつ高繰り返し周波数のパルス列の圧縮がより効率的に可能となり、超高速光通信用の実用的・経済的かつ高品質な短パルス光源を実現することができる。また、光フィルタの振幅・位相特性に応じて任意の時間波形をもつパルス列を簡単に発生することができ、光計測や光信号処理用の高機能な光シンセサイザを実現することができる。
【００１８】
【発明の実施の形態】
以下、本発明の実施の形態を図面を用いて詳細に説明する。
Ａ．第１実施の形態
図１は、光パルス圧縮器の第１の実施の形態の構成図である。この光パルス圧縮器は、光入力端子１、光カップラ２、狭帯域光フィルタ３、光増幅器４、光サーキュレータ５および５’、クロック信号抽出回路６、電気増幅器７、分散性媒質８、光位相変調器９、光出力端子１０を備える。
【００１９】
光入力端子１には、光カップラ２、狭帯域光フィルタ３、光増幅器４を介して光サーキュレータ５のポート５ａが接続される。光サーキュレータ５のポート５ａには、ポート５ｂ、分散性媒質８および光サーキュレータ５’のポート５’ｂを介してポート５’ａが接続される。光サーキュレータ５’のポート５’ａとポート５’ｃは光位相変調器９を介してループ状に接続される。光サーキュレータ５のポート５ｂは、ポート５ｃを介して光出力端子１０に接続される。信号の流れは図中破線のようになる。また、光カップラ２はクロック信号抽出回路６に接続され、さらに電気増幅器７を介して光位相変調器９の駆動回路に接続されている。光サーキュレータ５、５’、分散性媒質８および光位相変調器９は、光フーリエ変換装置Ｆに含まれる。
【００２０】
光フーリエ変換装置Ｆは、光パルスを入射し、周波数軸上のスペクトルを時間軸上のパルス波形へ光フーリエ変換するものである。
光位相変調器９としては、例えば、ＬｉＮｂＯ３などの電気光学効果を用いた位相変調器が好適に用いられる。光位相変調器９は、あるいはＥＡ（Ｅｌｅｃｔｒｏ−Ａｂｓｏｒｐｔｉｏｎ）やＳＯＡ（Ｓｅｍｉｃｏｎｄｕｃｔｏｒ  Ｏｐｔｉｃａｌ  Ａｍｐｌｉｆｉｅｒ）などにおける位相変調効果を用いてもよい。光位相変調器９には一般に偏波依存性のあるものが多いが、無偏波形の光デバイスあるいは偏波ダイバーシティーによる方法を採用して無偏波化を図ってもよい。
【００２１】
なお、位相シフタ及び光遅延ファイバを設けて、その際位相変調が光パルスに最適に同期して印加されるように機能するようにしてもよい。もし変調のタイミングが温度などによりずれる場合には、位相シフタが自動的に位相シフト量を調整し、最適な変調を印加する技術を用いることができる。また、電気増幅器を設けて、位相シフタの出力により光位相変調器９を駆動するための駆動信号を出力するようにしてもよい。
【００２２】
分散性媒質８としては、例えば、１．３μｍの波長帯域付近に零分散領域が存在する群速度分散特性を有するような単一モード光ファイバあるいは回折格子対、ファイバブラッググレーティング等を用いることができる。
【００２３】
また、図２は、光関数発生器の第１の実施の形態の構成図である。この光関数発生器は、光パルス圧縮器と同様に、光カップラ２、光フィルタ１３、光増幅器４、光サーキュレータ５および５’、クロック信号抽出回路６、電気増幅器７、分散性媒質８、光位相変調器９、光出力端子１０を備え、さらに光パルス発生器１１を備える。光パルス圧縮器では入力光パルスのスペクトル幅を狭くするために狭帯域光フィルタ３を用いているが、光関数発生器では入力光パルスのスペクトルを波形整形するために振幅・位相特性が予め定めたように（適切に）設計された光フィルタ１３を用いる。光パルス圧縮器と同符号の構成及び動作は、上述した通りである。
【００２４】
光パルス発生器１１は、光パルス列を発生するものである。光パルス発生器１１は、例えば、レーザ等の光源から発生した光パルス列を光カップラ２へ出射する。光関数発生器は、光パルス発生器１１が発生する光パルスの波形、及び、光フィルタ３の特性等を適宜設定することにより、各種の所望の出力波形を発生することができる。
【００２５】
次に、この光パルス圧縮器および光関数発生器の動作の概要について説明する。
まず、光パルス圧縮器では、光パルス列を光入力端子１に入射する。一方、光関数発生器では、光パルス発生器１１が光パルス列を発生する。以下の説明は、光パルス圧縮器および光関数発生器で、同様である。すなわち、入射された光パルス列は、光カップラ２を通して該光パルス列のクロック信号（正弦波信号）をクロック信号抽出回路６および電気増幅器７によって予め再生しておく。該光パルス列において各パルスはフーリエ変換限界（トランスフォームリミット）の条件を満たしている。ここでトランスフォームリミットなパルスとは、時間波形に対して一切過不足のないスペクトル幅を有するパルスであり、例えばガウス型パルスの場合には、時間パルス幅Δτとそのスペクトル幅Δνの積はΔνΔτ≒０．４４１を満たしている。次に該光パルス列を、光パルス圧縮器では狭帯域光フィルタ３に、光関数発生器では光フィルタ１３にそれぞれ入力し、フィルタの通過前後でエネルギーが保存されるよう適切な利得を有する光増幅器４によって増幅する。ここで狭帯域光フィルタ３もしくは光フィルタ１３の振幅・位相特性が、光フーリエ変換装置Ｆが光フーリエ変換することにより求める出力パルスの時間波形となる。増幅された光パルスは光サーキュレータ５のポート５ａからポート５ｂを介して分散性媒質８に入力され、該光パルスに群速度分散が与えられる。群速度分散によって該光パルスの時間波形は周波数成分に応じて異なる時間遅延を与えられる。すなわち該光パルスのスペクトルの各周波数に異なる時間シフトが割り当てられる。群速度分散が与えられた光パルスは光サーキュレータ５’のポート５’ｂおよび５’ａを介して光位相変調器９に入力され、光パルス列から再生されたクロック周波数で駆動する該光位相変調器９によって該光パルスに線形チャープが与えられる。このとき該光パルスの時間波形は周波数シフトを受け、各時間位置に異なる周波数が割り当てられる。すなわち該光パルスのスペクトルには上記時間シフトに応じて異なる周波数シフトが与えられ、周波数軸上で異なる時間成分が分別される。したがって時間軸上では該光パルスの各周波数成分が分別され、後述するように分散性媒質８の分散量Ｄに対して光位相変調器９のチャープ率ＫをＫ＝１／Ｄに選ぶことによって、図１及び図２中Ｂにおける時間波形ｕ（ｔ）のフーリエ変換像Ｕ（ω）が生成される。ポート５’ｃおよび５’ｂを介してもう一度分散性媒質８に再入力され残留チャープが補償された該光パルスは、光サーキュレータ５のポート５ｂ、５ｃおよび光出力端子１０を介して外部に出力される。
【００２６】
ここで、本発明において中心的な役割を果たす光フーリエ変換装置Ｆの動作について詳細に説明する。
図３に、光フーリエ変換装置Ｆの説明図を示す。本実施の形態の動作に関しては、光フーリエ変換装置３には光パルス列が入力され、光パルス列を構成する各パルスに注目して説明する。図中Ｆ１、Ｆ２、Ｆ３、Ｆ４における時間波形をそれぞれｕ（ｔ）、ｕ−（ｔ）、ｕ＋（ｔ）、ｖ（ｔ）とする。分散性媒質８の分散量をＤとし、光位相変調器９のチャープ率をＫとする。すなわち分散性媒質８が二次分散ｋ”を有する長さＬの光ファイバとするとＤ＝ｋ”Ｌであり、光位相変調器９の位相変調特性はｅｘｐ（ｉＫｔ２／２）で与えられる。
【００２７】
光フーリエ変換装置Ｆの入力パルス波形ｕ（ｔ）と出力パルス波形ｖ（ｔ）の関係は以下のようにして求められる。まず、光位相変調器９の前に置かれた分散性媒質８において、出力パルスｕ−（ｔ）は畳み込み積分により入力パルスｕ（ｔ）を用いて次式で表される。
【００２８】
【数２】
2004317684.tif 000004
【００２９】
次に、光位相変調器９の前後の信号ｕ−（ｔ）とｕ＋（ｔ）は
【００３０】
【数３】
2004317684.tif 000005
【００３１】
で関係づけられる。さらに、光位相変調器９の後にもう一度置かれた分散性媒質８において出力パルスｖ（ｔ）は入力パルスｕ＋（ｔ）を用いて、式（１）と同様に
【００３２】
【数４】
2004317684.tif 000006
【００３３】
で与えられる。したがって光フーリエ変換装置Ｆの出力波形ｖ（ｔ）は式（１）〜（３）により入力波形ｕ（ｔ）を用いて
【００３４】
【数５】
2004317684.tif 000007
【００３５】
と表される。ここで光位相変調器のチャープ率をＫ＝１／Ｄと選ぶと、式（４）は
【００３６】
【数６】
2004317684.tif 000008
【００３７】
と書くことができる。ただしＵ（ω）  ［ω＝ｔ／Ｄ］  はｕ（ｔ）のフーリエ変換
【００３８】
【数７】
2004317684.tif 000009
【００３９】
である。すなわち、光フーリエ変換装置Ｆの出力時間波形ｖ（ｔ）は、時間軸をｔ／Ｄ＝ωとスケールを変換したときの、光フーリエ変換装置Ｆの入力波形のスペクトル形状に対応している。
【００４０】
次に、光パルス波形が図１及び図２の構成でどのようにして整形されるかを図を用いて詳しく説明する。
【００４１】
図４は、光パルスの時間波形およびスペクトルの概略図である。図４（ａ）〜（ｃ）は、それぞれ図１及び図２中のＡ〜Ｃの各部分における光パルスの時間波形およびスペクトルの概略を示している。光入力端子１から入射された（すなわち図１及び図２中Ａにおける）光パルスの時間波形をｕｉｎ（ｔ）、そのスペクトル形状をＵｉｎ（ω）とする。このパルスが伝達関数Ｇ（ω）を有する狭帯域光フィルタ３もしくは光フィルタ１３を通過した後の（すなわち図１及び図２中Ｂにおける）時間波形をｕ（ｔ）、そのスペクトルをＵ（ω）とすると、
【００４２】
【数８】
2004317684.tif 000010
【００４３】
が成り立つ。このとき図１及び図２中Ｂにおける光パルスを光フーリエ変換装置Ｆに入力すると、図１及び図２中Ｃにおいて得られる光フーリエ変換装置Ｆの出力信号の時間波形ｖ（ｔ）は、式（５）より入力信号のスペクトルＵ（ω）に比例する。したがって式（５）と（７）より
【００４４】
【数９】
2004317684.tif 000011
【００４５】
を得る。式（８）から、狭帯域光フィルタ３もしくは光フィルタ１３の振幅特性Ｇ（ω）によって整形されたスペクトル形状Ｕ（ω）＝Ｇ（ω）Ｕｉｎ（ω）がそのまま出力の時間波形ｖ（ｔ）に反映されており、フィルタの形状に応じて任意の時間波形Ｇ（ｔ）Ｕｉｎ（ｔ）を実現することができる。
【００４６】
ここで例として、もとの信号波形がガウス型で与えられるとし、上記の原理を応用して図１の構成でパルス圧縮を実現する方法について述べる。ガウス型の入力パルス波形ｕｉｎ（ｔ）を
【００４７】
【数１０】
2004317684.tif 000012
【００４８】
とおくと、そのスペクトルＵｉｎ（ω）は
【００４９】
【数１１】
2004317684.tif 000013
【００５０】
で与えられる。入力Ｕｉｎ（ω）がガウス型の場合、狭帯域光フィルタ３の振幅特性がガウス型であれば、狭帯域光フィルタ３を通過後の周波数スペクトルもガウス型である。すなわち狭帯域光フィルタ３の伝達関数を
【００５１】
【数１２】
2004317684.tif 000014
【００５２】
とすると（ただし、Ωｆは、狭帯域光フィルタ３の帯域幅である。）、図１中Ｂにおける光フーリエ変換装置Ｆへの入力スペクトルは
【００５３】
【数１３】
2004317684.tif 000015
【００５４】
となる。ただしαはフィルタ３によって失われるエネルギーを補償するための利得である。したがって図１中Ｃにおいて得られる出力波形は式（５）においてω＝ｔ／Ｄと式（１２）を変換することにより、そのパルス幅をＴ１とすると
【００５５】
【数１４】
2004317684.tif 000016
【００５６】
で与えられる。
ここでパルス幅Ｔ１は
【００５７】
【数１５】
2004317684.tif 000017
【００５８】
で与えられる。入力パルス幅Ｔ０と式（１４）の出力パルス幅Ｔ１の比率を圧縮率とすると、その圧縮率は
【００５９】
【数１６】
2004317684.tif 000018
【００６０】
となる。ここで、狭帯域光フィルタ３によるスペクトル幅の圧縮が光フーリエ変換によってそのままパルスの時間幅の圧縮に変換されているということがポイントである。すなわち、狭帯域光フィルタ３によってパルスのスペクトル幅が式（１２）より（１＋１／Ωｆ２Ｔ０２）−１／２倍圧縮され、その結果光フーリエ変換によってパルス幅が式（１５）に示すように｜Ｋ｜Ｔ０２（１＋１／Ωｆ２Ｔ０２）−１／２倍圧縮されたパルスが出力波形として得られる。さらに式（１５）からわかるように、光位相変調器９によって与えられるチャープＫが大きいほど、また狭帯域光フィルタ３の帯域幅Ωｆが狭いほど、圧縮率を向上することができるという重要な結論を得る。
【００６１】
図５は、本発明の第１の実施の形態における、光パルス圧縮器の入力パルスの時間波形と圧縮された出力パルスの時間波形ならびに周波数チャープを示す図である。実線が時間波形、破線が周波数チャープを示す。挿入図は出力パルスの時間波形をｄＢスケールで表示したものである。
【００６２】
この図は、上記実施の形態のパルス圧縮器におけるパルス圧縮の性能を示すために、繰り返し周波数１０  ＧＨｚ、パルス幅１  ｐｓのパルス列に対して数値計算を行なったものである。図１中Ａにおける入力パルスの時間波形は、トランスフォームリミットなガウス型パルス（９）を仮定する。入力パルス幅Ｔ０と半値全幅ＴＦＷＨＭは
ＴＦＷＨＭ＝２（ｌｎ２）１／２Ｔ０
なる関係にあるので、ＴＦＷＨＭ＝１．０  ｐｓはＴ０＝０．６  ｐｓに相当する。フィルタ３の周波数特性は式（１１）で与えられるとする。光位相変調器９のチャープ率をＫ＝−２．７７  ｐｓ−２とすると、分散性媒質８における分散量はＤ＝１／Ｋ＝−０．３６  ｐｓ２となり、分散性媒質として通常の単一モードファイバ（Ｓｉｎｇｌｅ−Ｍｏｄｅ  Ｆｉｂｅｒ：  ＳＭＦ）  ［ｋ”＝−２０  ｐｓ２／ｋｍ］を用いると、必要な長さはＬ＝Ｄ／ｋ”＝１８  ｍである。ここではＳＭＦの非線形光学効果や高次分散は無視している。光位相変調器９の変調特性φ（ｔ）は、パルスのピーク近傍でチャープ特性が線形で近似されるよう（すなわち位相変調特性が放物線で近似されるよう）、以下の正弦波の組み合わせで与えられるとしている。
【００６３】
【数１７】
2004317684.tif 000019
【００６４】
ここでωｍは光パルス列の繰り返し周波数に同期した光位相変調器９の駆動周波数であり、光パルス列のビット間隔をＴｍとするとωｍ＝２π／Ｔｍである。また式（１６）ではφ（ｔ）がピークのまわりにできるだけ放物線になるように３倍の高調波まで考慮した。
【００６５】
図５（ａ），  （ｂ），  （ｃ）は、それぞれフィルタの帯域がΩｆ＝４４７  ｒａｄ−ＧＨｚ，  ２５８  ｒａｄ−ＧＨｚ，  ２００  ｒａｄ−ＧＨｚの場合に相当する。これらの条件は３ｄＢ帯域幅がそれぞれ１１８．５  ＧＨｚ，  ６８．４  ＧＨｚ，  ５３．０  ＧＨｚに対応し、パルスのスペクトル幅ΔｆＦＷＨＭ＝４４１ＧＨｚに対し帯域幅ΔｆＦＷＨＭ／３．７３、ΔｆＦＷＨＭ／６．４５、ΔｆＦＷＨＭ／８．３３に相当する。この図では、細実線、太実線、破線が、それぞれ図１中ＡおよびＣにおける時間波形ならびに図１中Ｃにおける出力波形の周波数チャープを示している。また挿入図は図１中Ｃにおける出力時間波形をｄＢスケールで示したものである。
【００６６】
解析の結果、（ａ），  （ｂ），  （ｃ）において圧縮比はそれぞれ３．８６，  ６．４１，  ７．６９  となった。これは式（１５）から求まる理論値（それぞれ３．８６，  ６．５４，  ８．４０）とよく一致している。得られたパルスの時間帯域幅積（Ｔｉｍｅ  Ｂａｎｄｗｉｄｔｈ  Ｐｒｏｄｕｃｔ：  ＴＢＰ）はそれぞれ、０．４４１，  ０．４５１，  ０．４８４であった。フィルタの帯域が狭いときに出力波形が裾野の独特の広がりを有する。また、ＴＢＰが増加するのは、図１中Ａにおいて、狭帯域光フィルタ３によってスペクトル幅が削られて、パルスの時間幅が式（１６）の放物線近似が成り立たない領域まで広がることによって、パルスの裾野でフーリエ変換が正確に実行されないことに起因するものである。このため（ａ）では出力波形にチャープがないが、（ｂ），  （ｃ）では３次以上の高次周波数チャープが発生することになる。なお位相変調特性の近似の精度を上げることによって狭帯域フィルタに対しても出力波形を改善し圧縮率をさらに向上することが可能である。またこの結果は、帯域が可変の狭帯域フィルタを用いて、同一の構成をもつ光パルス圧縮器で任意のパルス圧縮率を実現することができることを示している。
【００６７】
ここで、本発明によるフーリエ変換を用いたパルス圧縮を、従来のファイバ・回折格子対によるパルス圧縮器と比較する。ファイバ・回折格子対によるパルス圧縮器は、位相変調特性ｅｘｐ（ｉＫｔ２／２）を有する光位相変調器（正常分散＋自己位相変調によるチャープ化）と分散量Ｄ（異常分散）の分散性媒質の組み合わせとしてモデル化される。ここでＤは位相変調によるチャープをキャンセルするのに必要な分散量の大きさとして与えられる。入力がガウス型ｕ（ｔ）＝Ａｅｘｐ（−ｔ２／２Ｔ０２）のとき、位相変調ｅｘｐ（ｉＫｔ２／２）によるチャープをキャンセルするのに必要な分散量Ｄは次のようにして求まる。位相変調を受けたパルス
【００６８】
【数１８】
2004317684.tif 000020
の分散量Ｄによる波形変化ｖ（ｔ）は式（１）より
【００６９】
【数１９】
2004317684.tif 000021
【００７０】
と表される。指数関数の部分を実数項と位相項に分けて書くと
【００７１】
【数２０】
2004317684.tif 000022
【００７２】
となる。したがって式（１７）においてチャープを含む位相項
【００７３】
【数２１】
2004317684.tif 000023
【００７４】
をゼロにするＤは
【００７５】
【数２２】
2004317684.tif 000024
【００７６】
で与えられる。このときｖ（ｔ）の実数部は式（１７）、（１９）より
【００７７】
【数２３】
2004317684.tif 000025
【００７８】
となる。したがって式（１９）の条件のもとで得られるトランスフォームリミットなガウス型パルス
ｖ（ｔ）∝ｅｘｐ（−ｔ２／２Ｔ１２）
の時間幅Ｔ１は、式（２０）よりＴ１＝Ｔ０／（１＋Ｋ２Ｔ０４）１／２となる。すなわち圧縮率は
【００７９】
【数２４】
2004317684.tif 000026
【００８０】
である。
【００８１】
図６に、光パルスの圧縮率の比較図を示す。この図は、本発明による光パルス圧縮器の圧縮率（実線）を、ファイバ・回折格子対を用いた光パルス圧縮器の圧縮率（破線）と比較した図である。また、この図は、式（１５）と（２１）より光フーリエ変換を用いたパルス圧縮器およびファイバ・回折格子対を用いたパルス圧縮器のチャープ率とパルス圧縮率の関係を比較したものである。ここでＴ０＝０．６  ｐｓとしており、これは半値全幅ＴＦＷＨＭ＝１．０  ｐｓに相当する。どの｜Ｋ｜に対しても光フーリエ変換による圧縮器の圧縮率がファイバ・回折格子対による圧縮器の圧縮率を上回っており、フィルタの帯域が狭くなるにつれて圧縮率は増加している。これは次のような理由から説明できる。式（１５）および（２１）より、パルス幅Ｔ０を固定するといずれの圧縮法においても圧縮率はチャープ率の大きさ｜Ｋ｜に比例する。ファイバ・回折格子対による圧縮器では圧縮率の比例係数は式（２１）よりＴ０２で与えられる。一方光フーリエ変換による圧縮器では圧縮率の比例係数は式（１５）よりフィルタの帯域幅Ωｆに依存し、Ｔ０／Ωｆで与えられる。したがってΩｆ  ＞１／Ｔ０のとき（すなわちフィルタの帯域幅がパルスのスペクトル幅より狭いとき）、光フーリエ変換による圧縮器の圧縮率はファイバ・回折格子対による圧縮器の圧縮率を常に上回り、より優れた圧縮特性を示す。
【００８２】
次に、光パルスの時間波形が図２の構成でどのようにして任意の波形に整形されるかを詳しく説明する。式（６）からわかるように、光フィルタ１３の周波数特性Ｇ（ω）を適切に選ぶことによって、Ｇ（ω）の関数形に応じた任意の時間波形を生成することができる。ここでは例として入力パルスがガウス型であるとし、フィルタの振幅特性がエルミート多項式Ｈｎ（ｘ）で与えられるとして、波形がエルミートガウス関数で表されるパルス列が生成できることを示す。
ガウスエルミート関数ψｎ（ｘ）は、エルミート多項式Ｈｎ（ｘ）を用いて次式で定義される。
【００８３】
【数２５】
2004317684.tif 000027
【００８４】
ここでエルミート多項式Ｈｎ（ｘ）は次式で定義される多項式系列である。
【００８５】
【数２６】
2004317684.tif 000028
【００８６】
したがって例えばＨ２（ｘ）＝４ｘ２−２である。このようにガウスエルミート関数はエルミート多項式とガウス関数の積として表されるので、ガウス型光パルスを、周波数特性がエルミート多項式で与えられるようなフィルタに通し光フーリエ変換することによって、ガウスエルミート関数を時間軸上で得ることができる。このときフィルタの振幅特性は（規格化定数を無視して）
【００８７】
【数２７】
2004317684.tif 000029
【００８８】
を満たせばよい。
【００８９】
図７は、本発明の第１の実施の形態における、入力波形ならびに光関数発生器によって発生したエルミートガウス型波形とその位相を示す図である。この図は、本実施の形態の光関数発生器における波形整形の効果を示すために、上と同じ初期条件ならびに光フーリエ変換装置を用い、光フィルタ１３の伝達関数を２次のエルミート多項式Ｈ２（Ｔ０ω）としたときの数値計算結果を示すものである。この図では、細実線、太実線、破線がそれぞれ図２中Ａ、Ｃの各点における光パルスの時間波形ならびに図２中Ｃにおける出力波形の位相を示している。ｔ＝０近傍の位相の変化は、２次のガウスエルミート関数の中心部における位相反転を表している。このようにして、周波数特性が２次のエルミート多項式Ｈ２（Ｔ０ω）で与えられる光フィルタ１３を用いることによって、出力にトランスフォームリミットな２次のエルミートガウス関数を得ることができる。
【００９０】
Ｂ．第２実施の形態
図８は、光パルス圧縮器の第２実施の形態の構成図である。図８は図１中の光フーリエ変換装置Ｆにおいて分散性媒質８と光位相変調器９を入れ替え、さらに光サーキュレータ５’のポート５’ａとポート５’ｃを結ぶループにおいて分散性媒質８のあとに光遅延素子１２を挿入したものである。光位相変調器９には図１と同様、光カップラ２からクロック信号抽出回路６および電気増幅器７を介して再生されたクロック信号が駆動回路に供給されている。
【００９１】
図９は、光関数発生器の第２実施の形態の構成図である。第１の実施の形態の光パルス圧縮器と光関数発生器との差異と同様に、第２の実施の形態の光パルス圧縮器の、光入力端子１に光パルス発生器１１が置き換えられたものである。
【００９２】
次に、この光パルス圧縮器および光関数発生器の動作を説明する。
まず、光パルス圧縮器では、光パルス列を光入力端子１に入射する。一方、光関数発生器では、光パルス発生器１１が光パルス列を発生する。以下の説明は、光パルス圧縮器および光関数発生器で、同様である。すなわち、入射された光パルス列は、光カップラ２を通して該光パルス列のクロック信号をクロック信号抽出回路６および電気増幅器７によって予め再生しておく。次に該光パルス列を、光パルス圧縮器では狭帯域光フィルタ３に、光関数発生器では光フィルタ１３にそれぞれ入力し、フィルタの通過前後でエネルギーが保存されるよう適切な利得を有する光増幅器４によって増幅する。増幅された光パルスは光サーキュレータ５のポート５ａからポート５ｂを介して光位相変調器９に入力され、光パルス列から再生されたクロック信号に従ったタイミングで駆動する該光位相変調器によって光パルスに線形チャープが与えられる。すなわち該光パルスの各時間位置に異なる周波数シフトが割り当てられる。チャープを受けた該光パルスは光サーキュレータ５’のポート５’ｂおよび５’ａを介して分散性媒質８を通過する。このとき該光パルスの時間波形には上記周波数シフトに応じた時間遅延が与えられ、時間軸上で異なる周波数成分が分別される。第１の実施の形態と同様に、光位相変調器９のチャープ率Ｋに対して分散性媒質８の分散量ＤをＤ＝１／Ｋに選ぶことによって、図８及び図９中Ｂの時間波形ｕ（ｔ）のフーリエ変換像Ｕ（ω）が時間軸上で生成される。
【００９３】
光フーリエ変換装置Ｆへの入力パルス波形ｕ（ｔ）と出力パルス波形ｖ（ｔ）の関係は以下のようにして求められる。ｕ（ｔ）が光位相変調器９によって位相変調を受けた後の時間信号ｕ−（ｔ）は式（２）と同様
【００９４】
【数２８】
2004317684.tif 000030
【００９５】
で与えられる。このパルスが光位相変調器９の後に置かれた分散性媒質８を通過した後のパルス波形ｕ＋（ｔ）はｕ−（ｔ）を用いて、式（１）と同様に
【００９６】
【数２９】
2004317684.tif 000031
【００９７】
と表される。式（２５）より式（２６）は入力パルス波形ｕ（ｔ）を用いて
【００９８】
【数３０】
2004317684.tif 000032
【００９９】
と表される。ここで分散性媒質８の分散量ＤをＤ＝１／Ｋに選ぶと、式（２７）は
【０１００】
【数３１】
2004317684.tif 000033
【０１０１】
と書くことができる。ただしＵ（ω）  ［ω＝ｔ／Ｄ］  はｕ（ｔ）のフーリエ変換（式（６））である。上式における残留チャープｅｘｐ（−ｉＫｔ２／２）は、光位相変調器９によって上と同じ大きさの位相変調ｅｘｐ（ｉＫｔ２／２）を再度印加することで取り除くことができる。パルス列は再び光位相変調器９に入射するため予め光遅延素子１２によって適当な時間遅延を与えられる。遅延量はパルスのピークが光位相変調器９の位相変調特性のタイミングと同期するように設定する。このようにして残留チャープが完全に補償された光パルス
【０１０２】
【数３２】
2004317684.tif 000034
【０１０３】
は、光サーキュレータ５のポート５ｂ、５ｃおよび光出力端子１０を介して外部に出力される。
【０１０４】
図１０は、本発明の第２の実施の形態における、光パルス圧縮器の入力パルスの時間波形と圧縮された出力パルスの時間波形（実線）ならびに周波数チャープ（破線）を示す図である。実線が時間波形、破線が周波数チャープを示す。挿入図は出力パルスの時間波形をｄＢスケールで表示したものである。この図は、上記実施の形態のパルス圧縮器におけるパルス圧縮の性能を示すために、第１の実施の形態のパルス圧縮に関する数値計算と同様のパラメータを用いて数値計算を行なったものである。図５と同様に、図１０の（ａ），  （ｂ），  （ｃ）はそれぞれフィルタの帯域がΩｆ＝４４７  ｒａｄ−ＧＨｚ，  ２５８  ｒａｄ−ＧＨｚ，  ２００  ｒａｄ−ＧＨｚの場合に相当する。また細実線、太実線、破線が、それぞれ図８中ＡおよびＣにおける時間波形ならびに図８中Ｃにおける出力波形の周波数チャープを示している。さらに挿入図は図８中Ｃにおける出力時間波形を縦軸を対数スケールにして示したものである。その結果、（ａ），  （ｂ），  （ｃ）において圧縮比はそれぞれ３．８６，  ６．４１，  ７．６９  となり、図５と同様大きな圧縮率が得られていることがわかる。また出力パルスの時間帯域幅積ＴＢＰはそれぞれ、０．４４１，  ０．４５０，  ０．４８２となり、図５よりもわずかながらよい結果が得られる。
【０１０５】
【発明の効果】
本発明によると、以上のように、超高速光通信や光計測に用いる低パワーかつ高繰り返し周波数の超短パルス列を発生できる、小型でかつ機能性の高い光パルス圧縮器、および、簡単な構成で任意の時間波形を実現する光関数発生器を提供することができる。
【０１０６】
特に、本発明の光パルス圧縮器及び方法によると、小型かつ簡単な構成で、入力パワーおよびパルス幅について広い範囲にわたって超高速・超短パルスの発生を可能にすることができる。また、本発明によると、帯域が可変である狭帯域フィルタを用いることによって、一つの装置で異なるパルス圧縮率を得ることができ、柔軟な構成をもつ光パルス圧縮器及び方法を実現することができる。
【０１０７】
また、特に、本発明の光関数発生器及び方法によると、周波数フィルタの振幅・位相特性を適切に設計することによって、フィルタの伝達関数の関数形に応じた任意の時間波形を有するパルスを簡単に発生することができる。本発明によると、パルス幅が数百フェムト秒の超短パルスやガウス型、エルミートガウス、矩形などの任意の時間波形を有するパルス列を得ることにより、超高速時分割多重光通信用の信号パルスや超高速計測におけるサンプリングパルスをはじめとする幅広い用途に利用することができるようにした光関数発生器及び方法を提供することができる。
【図面の簡単な説明】
【図１】本発明の第１の実施の形態の光パルス圧縮器を示す模式図である。
【図２】本発明の第１の実施の形態の光関数発生器を示す模式図である。
【図３】図１及び図２中の光フーリエ変換装置Ｆの構成を示す模式図である。
【図４】図１及び図２中Ａ、Ｂ、Ｃの各部分における光パルスの時間波形およびスペクトルの概略を示す図である。
【図５】本発明の第１の実施の形態における、光パルス圧縮器の入力パルスの時間波形と圧縮された出力パルスの時間波形ならびに周波数チャープを示す図である。
【図６】本発明による光パルス圧縮器の圧縮率（実線）を、ファイバ・回折格子対を用いた光パルス圧縮器の圧縮率（破線）と比較した図である。
【図７】本発明の第１の実施の形態における、入力波形ならびに光関数発生器によって発生したエルミートガウス型波形とその位相を示す図である。
【図８】本発明の第２の実施の形態の光パルス圧縮器を示す模式図である。
【図９】本発明の第２の実施の形態の光関数発生器を示す模式図である。
【図１０】本発明の第２の実施の形態における、光パルス圧縮器の入力パルスの時間波形と圧縮された出力パルスの時間波形（実線）ならびに周波数チャープ（破線）を示す図である。
【符号の説明】
１  光入力端子
２  光カップラ
３  狭帯域光フィルタ
４  光増幅器
５、５’  光サーキュレータ
６  クロック信号抽出回路
７  電気増幅器
８  分散性媒質
９  光位相変調器
１０  光出力端子
１１  光パルス発生器
１２  光遅延素子
１３  光フィルタ
Ｆ  光フーリエ変換装置
【図１】
2004317684.tif 000035
【図２】
2004317684.tif 000036
【図３】
2004317684.tif 000037
【図４】
2004317684.tif 000038
【図５】
2004317684.tif 000039
【図６】
2004317684.tif 000040
【図７】
2004317684.tif 000041
【図８】
2004317684.tif 000042
【図９】
2004317684.tif 000043
【図１０】
2004317684.tif 000044